(57)【要約】【課題】視認性と視線透過性とに優れた表示装置及びその設置方法を提供すること。【解決手段】表示装置１は、二枚の導光板７，８及びこれら二枚の導光板７，８の間に設けられた光拡散部９を有する本体４と、前記本体４の側端に向けて光を照射する光源６と、前記本体４の前面に貼り付けられ情報を表示するフィルム体５とを具備し、建物のスラブに沿って構築する庇３の上面を、前記スラブの上側に形成される床面３３より低くしてあり、前記庇３の上面に表示装置１を設置する。【選択図】図３
2014232271.tif 000002
【特許請求の範囲】
【請求項１】
二枚の導光板及びこれら二枚の導光板の間に設けられた光拡散部を有する本体と、前記本体の側端に向けて光を照射する光源と、前記本体の前面に貼り付けられ情報を表示するフィルム体とを具備したことを特徴とする表示装置。
【請求項２】
前記本体を起立させるように該本体の下部を保持する保持部と、前記本体の上部を覆う状態で該本体に取り付けられ、前記光源を内側に保持するカバー部とを具備した請求項１に記載の表示装置。
【請求項３】
前記カバー部が手摺状を呈する請求項２に記載の表示装置。
【請求項４】
建物のスラブに沿って構築する庇の上面を、前記スラブの上側に形成される床面より低くしてあり、前記庇の上面に請求項１〜３の何れか一項に記載の表示装置を設置することを特徴とする表示装置の設置方法。
【請求項５】
前記庇の上面が、該庇の基端側から先端側に向けて低くなる傾斜面となっている請求項４に記載の表示装置の設置方法。
【発明の詳細な説明】
【技術分野】
【０００１】
本発明は、例えば光源を内蔵した自発光型の看板（サイン）等として用いられる表示装置及びその設置方法に関する。
【背景技術】
【０００２】
例えば、外壁をガラスカーテンウォールとした建物の各階の庇の上にテナントサインを取り付ける場合、テナントサインとして用いる表示装置は、建物内から外部を見たときの視界を大きく邪魔せず、かつ、外部からの視認性に優れたものであれば、ガラスカーテンウォールの開放感を損ねることなく効果的な表示を行うことができる
【先行技術文献】
【特許文献】
【０００３】
【特許文献１】特開平１０−３１９８８２号公報
【特許文献２】特開２００５−１６５０７４号公報
【発明の概要】
【発明が解決しようとする課題】
【０００４】
そこで、上記表示装置として、エッジライト装置を用いることが考えられる。エッジライト装置は、矩形状の導光板と、この導光板の側端に向けて光を照射する光源ユニットとを有し、導光板の側端（一辺）からその内部に光を導入するようにしたものであり、導光板が透明であるため、建物内から外部への視線透過性に優れる。また、導光板の寸法が大きくなれば、視界の邪魔となる光源ユニットが相対的に小さくなって目立ち難くなり、上記視線透過性の向上を期待することもできる。しかし、その反面、導光板の寸法が大きくなるほど、導光板の一辺のみから入射する光の拡散が不均一となり、輝度むらが大きくなる傾向がある。
【０００５】
そのため、上記表示装置として、エッジライト装置ではなく、金属枠によって保持したプラスチック板を、金属枠内に沿って配した光源により全周囲から照明する看板（例えば特許文献１参照）や、文字や模様が描かれた看板表面の裏側に全面的に配した光源により看板表面全体の照明を行う看板（例えば特許文献２参照）を用い、輝度むらの解消を図ることも考えられる。しかし、これらの看板では、エッジライト装置と比べ、建物内から外部への視線透過性が低下するという問題がある。
【０００６】
本発明は上述の事柄に留意してなされたもので、その目的は、視認性と視線透過性とに優れた表示装置及びその設置方法を提供することにある。
【課題を解決するための手段】
【０００７】
上記目的を達成するために、本発明に係る表示装置は、二枚の導光板及びこれら二枚の導光板の間に設けられた光拡散部を有する本体と、前記本体の側端に向けて光を照射する光源と、前記本体の前面に貼り付けられ情報を表示するフィルム体とを具備したことを特徴とする（請求項１）。
【０００８】
上記表示装置が、前記本体を起立させるように該本体の下部を保持する保持部と、前記本体の上部を覆う状態で該本体に取り付けられ、前記光源を内側に保持するカバー部とを具備していてもよい（請求項２）。
【０００９】
上記表示装置において、前記カバー部が手摺状を呈していてもよい（請求項３）。
【００１０】
一方、上記目的を達成するために、本発明に係る表示装置の設置方法は、建物のスラブに沿って構築する庇の上面を、前記スラブの上側に形成される床面より低くしてあり、前記庇の上面に請求項１〜３の何れか一項に記載の表示装置を設置することを特徴としている（請求項４）。
【００１１】
上記表示装置の設置方法において、前記庇の上面が、該庇の基端側から先端側に向けて低くなる傾斜面となっていてもよい（請求項５）。
【発明の効果】
【００１２】
本願発明では、視認性と視線透過性とに優れた表示装置及びその設置方法が得られる。
【００１３】
すなわち、本願の各請求項に係る発明の表示装置では、本体を構成する二枚の導光板に透明度の高い高透過ガラスを用いれば、本体の前面にフィルム体を貼り付けて表示を行うようにしているので、視線透過性に優れ、フィルム体が宙に浮いているように見せることもできる。
【００１４】
また、本発明の表示装置では、光源を用いたエッジライト方式による照明と、本体の二枚の導光板間に設ける光拡散部とを組み合わせるので、光拡散部の面密度を光源から離れるに連れて大きくなるように変化させれば、本体の寸法を大きくした場合であっても、本体が輝度むらなく面発光し、本体の前面に設けるフィルム体による表示が全体にわたって均一に照らし出されることになり、視認性にも優れたものとなる。
【００１５】
さらに、本発明の表示装置では、光拡散部を二枚の導光板で挟み込んだ状態とするので、風雨等による光拡散部の摩耗を防止し、フィルム体による表示が均一に照らし出される良好な状態を長期間維持することができる。
【００１６】
その上、本発明の表示装置では、本体の前面にフィルム体を貼り付けるようにしているので、フィルム体の貼り替えにより表示内容の変更に対応することができ、その対応が簡易かつ低コストとなる。
【００１７】
本発明の表示装置において、例えば本体の四辺を保持するフレームを設けると、そのフレームが目立ってしまい、フィルム体による表示を浮かばせて目立つようにしたい、といった要望を満足することが困難となる。しかし、請求項２に係る発明の表示装置では、保持部とカバー部とによって本体の上下の二辺のみを保持するようにすることができ、フィルム体による表示をより目立たせることができる。
【００１８】
請求項３に係る発明の表示装置では、本体の上部に取り付けるカバー部を手摺状とするので、例えばフィルム体の貼り替えを行うときに、カバー部を手摺として利用することにより、フィルム体の貼り替えをより安全に行うことができる。
【００１９】
請求項４、５に係る発明の表示装置の設置方法では、表示装置（特に保持部）が、建物の内部から外部を見たときの視界に入り難くなるようにすることができる。
【図面の簡単な説明】
【００２０】
【図１】（Ａ）及び（Ｂ）は、本発明の一実施の形態に係る表示装置を設置した建物の要部の構成を概略的に示す正面図及び縦断面図である。
【図２】（Ａ）及び（Ｂ）は、前記表示装置の構成を概略的に示す平面図及び正面図である。
【図３】前記表示装置の構成を概略的に示す縦断面図である。
【図４】（Ａ）及び（Ｂ）は、前記表示装置の要部の構成を概略的に示す横断面図及び正面図である。
【図５】（Ａ）及び（Ｂ）は、ベースプレートの構成を概略的に示す平面図及び正面図である。
【図６】（Ａ）及び（Ｂ）は、巾木を保持した状態のリブプレートの構成を概略的に示す平面図及び正面図である。
【発明を実施するための形態】
【００２１】
本発明の実施の形態について図面を参照しながら以下に説明する。
【００２２】
本実施の形態に係る表示装置１は、図１（Ａ）及び（Ｂ）に示すように、外壁２をガラスカーテンウォールとした建物の各階の庇３の上に設置可能としたものであり、正面視が横長の矩形状をした透明な本体４の前面に情報を表示するフィルム体５が貼り付けられ、エッジライト方式を採用した自発光型の看板として用いられるものである。
【００２３】
故に、図３に示すように、表示装置１は、本体４の側端（上端）に向けて光を照射する光源６を有する。この光源６は、例えば複数のＬＥＤモジュールで構成され、本体４の上端に沿ってその一端（左端）から他端（右端）にかけて順次並ぶように配置される。
【００２４】
これに対して、表示装置１の本体４は、図３に示すように、前後二枚の導光板７，８と、これら二枚の導光板７，８の間に設けられた光拡散部９とを有する。ここで、導光板７，８は高透過強化ガラス製である。また、光拡散部９は、飛散防止フィルム上に例えばシルクスクリーン印刷により光拡散目的で光拡散インキを塗布してなる。
【００２５】
従って、光源６からの光が本体４内に入ると、その光は光拡散部９により拡散され、本体４はいわば面発光する。ここで、面発光の際に輝度むらが生じないようにするために、光拡散部９（光拡散インキのドット）の面密度を、導光板７，８間において全面にわたって均一とはせず、光源６に近づく程小さく、光源６から離れる程大きくなるようにしてある。具体的には、光拡散部９を複数のスポット状に設け、光源６から遠ざかるにつれてスポットが大きくなり、かつスポットどうしの間隔が小さくなる（スポットが密になる）ようにしてある。
【００２６】
尚、光源６に繋がる電線等のケーブル類（図示していない）は、図３に示すように、配管（電線管）１０、ボックス（ユニバーサルボックス）１１、可撓管（電線管）１２、ボックス（ユニバーサルボックス）１３等の内部を通って建物内に引き込まれる（図２（Ａ）、図４（Ａ）も参照）。
【００２７】
一方、フィルム体５には、裏面に接着剤が塗布され、文字、図形、模様等を形成するように不要部分が切り落とされた半透明または不透明の樹脂シート（カラーシート）が用いられ、前側の導光板７の前面に貼り付け可能としてある。
【００２８】
また、表示装置１は、図２（Ａ）及び（Ｂ）に示すように、本体４を起立させるように本体４の下部を保持する保持部１４を複数（図示例では６個）有する。ここで、表示装置１が設置される庇３の上面は、図１（Ａ）及び（Ｂ）、図３に示すように、庇３の基端側から先端側に向けて低くなる傾斜面となっており、このような庇３の上面に対して本体４を適宜の角度で起立させることができるように、保持部１４は、図３、図４（Ａ）及び（Ｂ）に示すように、庇３の上面に固定されるベースプレート１５と、このベースプレート１５によって適宜の傾斜のついた状態で支持されるリブプレート１６とを有する。
【００２９】
ベースプレート１５は、図５（Ａ）及び（Ｂ）に示すように、アンカー１７，１７（図３参照）によって庇３の上面に固定される本体部１８と、この本体部１８の一辺に立設された大小のブラケット部１９，２０とを有する。また、リブプレート１６は、図６（Ａ）及び（Ｂ）に示すように、平板状の本体部２１の一辺に一対のリブ２２，２２を立設してなる。
【００３０】
そして、ベースプレート１５とリブプレート１６とは、図４（Ａ）及び（Ｂ）に示すように例えばボルト等の締結具２３によって締結されるのであり、そのために、ベースプレート１５の大ブラケット部１９には縦方向に長いルーズ穴１９ａが、小ブラケット部２０には横方向に長いルーズ穴２０ａが、リブプレート１６の各リブ２２には縦方向に長いルーズ穴２２ａが、各々設けられている。
【００３１】
上記のようにベースプレート１５及びリブプレート１６を備えた保持部１４に本体４を保持させるには、図３に示すように、リブプレート１６の一対のリブ２２，２２間に、金属製（例えばステンレス製）の巾木２４、クッション材２５、充填剤２６及びシール２７を介して本体４の下部が差し込まれた状態とすればよい。尚、図３及び図４（Ｂ）において、２８はパッキンゴムであり、ベースプレート１５と庇３の上面との間に挿入配置されている。
【００３２】
また、表示装置１は、図２（Ａ）及び（Ｂ）、図３に示すように、本体４の上部を覆う状態で本体４に取り付けられ、光源６を内側に保持する手摺状のカバー部２９を具備している。このカバー部２９は、図３に示すように、縦断面略門型をした金属（例えばステンレス）製の中空の外枠３０内に、光源６を保持する金属（例えばアルミニウム）製の内枠３１を組み込んでなるものであり、外枠３０と本体４の間にはシール３２が設けられる。
【００３３】
上記のように構成される表示装置１は、本体４を構成する導光板７，８に透明度の高い高透過ガラスを用い、本体４の前面にフィルム体５を貼り付けて表示を行うようにしているので、視線透過性に優れ、フィルム体５が宙に浮いているように見せることもできる。加えて、例えば本体４の四辺を保持するフレームを設けると、そのフレームが目立ってしまい、フィルム体５による表示を浮かばせて目立つようにしたい、といった要望を満足することが困難となるが、本実施形態の表示装置１では、保持部１４とカバー部２９とによって本体４の上下の二辺のみを保持するようにしてあるので、フィルム体５による表示をより目立たせることができる。
【００３４】
また、本実施形態の表示装置１では、光源６を用いたエッジライト方式による照明と、本体４の前後の導光板７，８間に設ける光拡散部９とを組み合わせ、かつ、光拡散部９の面密度を光源６からの距離に応じて上述したように変化させるので、フィルム体５の貼付可能範囲（フィルム体５による表示可能範囲）を、例えば高さ７００ｍｍ×横幅５７５０ｍｍというように大きくした場合であっても、本体４が輝度むらなく面発光し、本体４の前面に設けるフィルム体５による表示が全体にわたって均一に照らし出されることになり、視認性にも優れたものとなる。
【００３５】
さらに、本実施形態の表示装置１では、光拡散部９を二枚の導光板７，８で挟み込んだ状態とするので、風雨等による光拡散部９の摩耗を防止し、フィルム体５による表示が均一に照らし出される良好な状態を長期間維持することができる。
【００３６】
その上、本実施形態の表示装置１では、本体４の前面にフィルム体５を貼り付けるようにしているので、フィルム体５の貼り替えにより表示内容の変更に対応することができ、その対応が簡易かつ低コストとなる。
【００３７】
しかも、本実施形態の表示装置１では、本体４の上部に取り付けるカバー部２９を手摺状とするので、例えばフィルム体５の貼り替えを行うときに、カバー部２９を手摺として利用することにより、フィルム体５の貼り替えをより安全に行うことができる。
【００３８】
また、本実施形態では、図１（Ｂ）に示すように、建物のスラブに沿って構築する庇３の上面を、スラブの上側に形成される床面３３より低くしてあると共に、庇３の先になる程低くなる傾斜面としてあり、このような庇３の上面に表示装置１を設置するので、表示装置１は、建物の内部から外部を見たときの視界に非常に入り難くなっている。特に保持部１４は、床面３３よりも低い位置にあるので、建物の内部から外部を見たときの視界に入り難いだけでなく、外から建物を見た場合の視界にも入り難くなっている。
【００３９】
なお、本発明は、上記の実施の形態に何ら限定されず、本発明の要旨を逸脱しない範囲において種々に変形して実施し得ることは勿論である。例えば、以下のような変形例を挙げることができる。
【００４０】
上記実施の形態では、表示装置１が屋外に設置されることを考慮して、耐久性に優れた高透過ガラスを導光板７，８に用いているが、これに限らず、表示装置１の設置環境等に応じ、導光板７，８には適宜の材料を用いることができる。
【００４１】
上記実施の形態では、ベースプレート１５とリブプレート１６とによって保持部１４を構成しているが、例えば本体４の起立角度を調整しない場合には、ベースプレート１５を省き、リブプレート１６を庇３の上面に直接固定するようにしてもよい。
【００４２】
上記実施の形態では、外壁をガラスカーテンウォールとした建物の庇３の上面に表示装置１を設置するようにしているが、表示装置１の設置場所はこれに限らない。
【００４３】
なお、上記変形例どうしを適宜組み合わせてもよいことはいうまでもない。
【符号の説明】
【００４４】
１    表示装置
２    外壁
３    庇
４    本体
５    フィルム体
６    光源
７    前側の導光板
８    後ろ側の導光板
９    光拡散部
１０    配管
１１    ボックス
１２    可撓管
１３    ボックス
１４    保持部
１５    ベースプレート
１６    リブプレート
１７    アンカー
１８    本体部
１９    大ブラケット部
１９ａ  ルーズ穴
２０    小ブラケット部
２０ａ  ルーズ穴
２１    本体部
２２    リブ
２２ａ  ルーズ穴
２３    締結具
２４    巾木
２５    クッション材
２６    充填剤
２７    シール
２８    パッキンゴム
２９    カバー部
３０    外枠
３１    内枠
３２    シール
３３    床面
【図１】
2014232271.tif 000003
【図２】
2014232271.tif 000004
【図３】
2014232271.tif 000005
【図４】
2014232271.tif 000006
【図５】
2014232271.tif 000007
【図６】
2014232271.tif 000008